(57)【特許請求の範囲】
【請求項１】
ゴルフスイングトレーニング器具であって、
第１端及び第２端を有する少なくとも１本の弾性コードであって、前記第１端及び前記第２端の両方に連結手段を取り付けた、前記少なくとも１本の弾性コードと、
近位端及び遠位端と軸方向穴とを有する、ゴルフクラブグリップの形状に形成したグリップと、
前記グリップの前記軸方向穴内に配置した連結部材であって、前記グリップの前記遠位端において前記軸方向穴から突出し、前記少なくとも１本の弾性コードの一端に前記グリップの前記遠位端を連結するよう構成した前記連結部材と、を含み、
前記連結部材が、前記グリップの前記近位端において前記軸方向穴から突出するパッド入りリストストラップをさらに含み、
前記少なくとも１本の弾性コードがその第１端において、前記グリップの前記遠位端における前記連結部材に連結し、前記少なくとも１本の弾性コードがその第２端において固定具に連結し、前記弾性コードがゴルフのトレーニングエクササイズにおいて使用者の加える力に対する抵抗を提供すること、
を含むゴルフトレーニング器具。
【請求項２】
前記少なくとも１本の弾性コードが約５フィートの長さである、請求項１に記載のゴルフトレーニング器具。
【請求項３】
複数の弾性コードを備え、前記弾性コードの各々が異なる量の抵抗を提供することで、エクササイズで使用する抵抗の量を使用者が選択できる、請求項１又は２に記載のゴルフトレーニング器具。
【請求項４】
前記少なくとも１本の弾性コードの前記第１端及び前記第２端に形成した前記連結手段が、前記固定具及び前記連結部材と解放可能に係合する、請求項１から３のいずれか一項に記載のゴルフトレーニング器具。
【請求項５】
前記弾性コードを天然ゴムの弾性コードで形成する、請求項１から４のいずれか一項に記載のゴルフトレーニング器具。
【請求項６】
前記連結部材が、一端に前記少なくとも１本の弾性コードに連結するループ若しくは連結手段を有する可撓性ロープを有し、対向する端にパッド入りリストバンドを有する、請求項１から５のいずれか一項に記載のゴルフトレーニング器具。
【請求項７】
前記連結部材が、前記弾性コードの前記連結手段に連結するループ若しくは連結手段をさらに含む、請求項１から６のいずれか一項に記載のゴルフトレーニング器具。
【請求項８】
運動競技のトレーニング器具であって、
第１端及び第２端を有する少なくとも１本の弾性コードであって、前記第１端及び前記第２端の両方に連結手段を取り付けた、前記少なくとも１本の弾性コードと、
近位端及び遠位端と軸方向穴とを有するグリップと、
前記グリップの前記軸方向穴内に配置した連結部材であって、前記グリップの前記遠位端において前記軸方向穴から突出し、前記グリップの前記遠位端を前記弾性コードの一端に連結するよう構成した前記連結部材と、
を含み、前記連結部材が前記グリップの前記近位端において前記軸方向穴から突出したパッド入りリストストラップをさらに含む、運動競技のトレーニング器具。
【請求項９】
前記少なくとも１本の弾性コードが約５フィートの長さである、請求項８に記載の運動競技のトレーニング器具。
【請求項１０】
複数の弾性コードを備え、前記弾性コードの各々が異なる量の抵抗を提供することで、エクササイズで使用する抵抗の量を使用者が選択できる、請求項８又は９に記載の運動競技のトレーニング器具。
【請求項１１】
前記少なくとも１本の弾性コードの前記第１端及び前記第２端に形成した前記連結手段が、前記固定具及び前記連結部材と解放可能に係合する、請求項８から１０のいずれか一項に記載の運動競技のトレーニング器具。
【請求項１２】
前記弾性コードをラテックスの弾性コードで形成する、請求項８から１１のいずれか一項に記載の運動競技のトレーニング器具。
【請求項１３】
前記連結部材が、前記少なくとも１本の弾性コードに連結する可撓性ロープを含む、請求項８から１２のいずれか一項に記載の運動競技のトレーニング器具。
【請求項１４】
前記グリップがゴルフクラブのグリップである、請求項８から１３のいずれか一項に記載の運動競技のトレーニング器具。
【請求項１５】
前記グリップが野球のバットのグリップである、請求項８から１３のいずれか一項に記載の運動競技のトレーニング器具。
【請求項１６】
運動競技のトレーニング方法であって、
第１端及び第２端を有する少なくとも１本の弾性コードであって、前記第１端及び前記第２端の両方に連結手段を取り付けた前記少なくとも１本の弾性コードを提供することと、
近位端及び遠位端と軸方向穴とを有するグリップと、前記グリップの前記軸方向穴内に配置した連結部材とを提供することであって、前記連結部材が前記グリップの前記遠位端において前記軸方向穴から突出して、前記弾性コードの一端に前記グリップの前記遠位端を連結する構成であり、前記連結部材が前記グリップの前記近位端において前記軸方向穴から突出するパッド入りリストストラップをさらに含む、前記グリップと前記連結部材を提供することと、
前記弾性コードの前記第１端を前記グリップの前記遠位端において前記連結部材に連結し、前記弾性コードの前記第２端を固定点に連結することと、
前記パッド入りリストストラップに使用者の手首を入れ、前記使用者が前記グリップを握ることと、
前記弾性コードの前記抵抗に抗して運動競技のスイングを練習することと、
を含む方法。
【請求項１７】
練習する前記運動競技のスイングがゴルフのスイングである、請求項１６に記載の方法。
【請求項１８】
練習する前記運動競技のスイングが野球のスイングである、請求項１６に記載の方法。
【請求項１９】
複数の弾性コードを備え、前記弾性コードの各々が異なる量の抵抗を提供することで、エクササイズで使用する抵抗の量を使用者が選択できる、請求項１６から１８のいずれか一項に記載の方法。
【請求項２０】
前記連結部材が、前記少なくとも１本の弾性コードに連結する可撓性ロープを含む、請求項１６から１９のいずれか一項に記載の方法。
【発明の詳細な説明】
【技術分野】
【０００１】
本発明は運動競技のスイングトレーニング器具とその使用方法に関する。
【背景技術】
【０００２】
米国特許出願公開第２００８／２４２４３６号は、ゴルフのプレーンに対してクラブのヘッドをオープンにすること、もしくはクローズにすることを使用することによりゴルファーを補助するべく９０度角で取り付けたゴルフのトレーニング器具である方向指示台を開示している。方向指示台に接続したＹバンド技術に付随する可変抵抗バンドが、ゴルフヘッドの打球面を自然にスクエアにするよう強制する。クラブと可変抵抗バンドを組み合わせることで、ゴルファーはインパクト時の力を著しく強化することができる。
【０００３】
米国特許第６５９２４７４号と同第６５７２４９７号は電力スイングトレーニング器具を開示しているが、この器具は、可撓性ゴムによって固定具又は滑車及び錘システムに連結させて用いるトレーニング器具である。トレーニング器具の遠位端にスイベル接続部を取り付け、スイベル接続部に可撓性のヨークを取り付け、弾性コードの一端をヨークに、そして弾性コードの他端を固定点に取り付ける。第２実施形態では、固定具に取り付けた滑車にコードを懸装し、他端に錘を配置する。
【０００４】
米国特許第３６１８９４２号は、手首のエクササイズ及び強化器具に関する。バットもしくはクラブを、強力な弾性ロープを介してボードに固定する。
【先行技術文献】
【特許文献】
【０００５】
【特許文献１】米国特許出願公開第２００８／２４２４３６号
【特許文献２】米国特許第６５９２４７４号
【特許文献３】米国特許第６５７２４９７号
【特許文献４】米国特許第３６１８９４２号
【発明の概要】
【発明が解決しようとする課題】
【０００６】
本発明は運動競技のスイングトレーニング器具とその使用方法に関する。特に、少なくとも１本の弾性コードと、グリップと、連結部材とを含む運動競技のトレーニング器具及びゴルフのスイングトレーニング器具を開示する。概して、例えばゴルファー用の運動競技のスイングトレーニング器具は、第１端及び第２端を有する少なくとも１本の弾性コードであって、前記第１端及び前記第２端の両方に連結手段を取り付けた前記弾性コードと、ゴルフクラブグリップの形状に形成し、近位端及び遠位端と軸方向穴とを有するグリップと、前記グリップの前記軸方向穴内に配置した連結部材であって、前記グリップの前記遠位端において前記軸方向穴から突出し、前記少なくとも１本の弾性コードの一端に前記グリップの前記遠位端を連結するよう構成した前記連結部材と、を含み、前記連結部材が前記グリップの前記近位端における前記軸方向穴から突出するパッド入りリストストラップをさらに含み、前記少なくとも１本の弾性コードがその第１端において、前記グリップの前記遠位端における前記連結部材に連結し、前記少なくとも１本の弾性コードが、その第２端において固定具に連結し、前記弾性コードが、運動トレーニングエクササイズにおいて使用者のかける力に対する抵抗を提供する。
【０００７】
我々の発明の主な目的は、スイングに使用する筋肉を強化することにより、また軸方向に平行な面に前記グリップを保持するよう使用者を訓練して使用者のスイングを向上させることにより、ゴルファーのスイングを向上させるよう使用できるエクササイズ器具を提供することである。
【０００８】
さらに、本発明の目的は、単純で、耐久性があると共に安価であり、故障の心配のないゴルフエクササイズ器具を提供することである。該ゴルフエクササイズ器具は、自宅もしくはトレーニングルームの両方で使用するのに適していると共に、幾つかの手法で調整可能である。
【課題を解決するための手段】
【０００９】
本発明の主旨によれば、少なくとも１本の弾性コードと、グリップと、連結部材とを含む運動競技のトレーニング器具及び方法を提供することにより、上記目的を達成する。少なくとも１本の弾性コードは第１端及び第２端を有し、前記第１端及び前記第２端の両方に連結手段を取り付ける。前記グリップはゴルフクラブグリップの形状に形成し、前記グリップは近位端及び遠位端を有すると共に、軸方向穴を有する。前記連結部材を前記グリップの前記軸方向穴内に配置し、前記連結部材は前記グリップの前記遠位端において前記軸方向穴から突出して、前記少なくとも１本の弾性コードの一端に前記グリップの前記遠位端を連結する構成である。前記連結部材は、前記グリップの前記近位端において前記軸方向穴から突出するパッド入りリストストラップをさらに含む。前記少なくとも１本の弾性コードはその第１端において、前記グリップの前記遠位端における前記連結部材に連結し、前記少なくとも１本の弾性コードはその第２端において固定具に連結し、前記弾性コードはゴルフトレーニングエクササイズにおいて使用者のかける力に対する抵抗を提供する。好適な実施形態によれば、前記運動競技のトレーニング器具はゴルフクラブのグリップを有し、前記器具はゴルフスイングトレーニング器具である。
【図面の簡単な説明】
【００１０】
【図１】運動競技のスイングトレーニング器具の一実施形態のグリップ部の正面図である。
【図２】運動競技のスイングトレーニング器具の一実施形態で使用する弾性コードの正面図である。
【図３】運動競技のスイングトレーニング器具の一実施形態を使用する使用者の正面図である。
【発明を実施するための形態】
【００１１】
運動競技のスイングトレーニング器具とその使用方法の実施形態を示し、説明する。概して、運動競技のスイングトレーニング器具は、第１端及び第２端を有する少なくとも１本の弾性コードであって、前記第１端及び前記第２端の両方に連結手段を取り付けた前記弾性コードと、ゴルフクラブグリップの形状に形成し、近位端及び遠位端と軸方向穴とを有するグリップと、前記グリップの前記軸方向穴内に配置した連結部材であって、前記グリップの前記遠位端において前記軸方向穴から突出し、前記少なくとも１本の弾性コードの一端に前記グリップの前記遠位端を連結するよう構成した前記連結部材と、を含み、前記連結部材が、前記グリップの前記近位端における前記軸方向穴から突出するパッド入りリストストラップをさらに含み、前記少なくとも１本の弾性コードがその第１端において、前記グリップの前記遠位端における前記連結部材に連結し、前記少なくとも１本の弾性コードが、その第２端において固定具に連結し、前記弾性コードが、運動競技のトレーニングエクササイズにおいて使用者のかける力に対する抵抗を提供する。
【００１２】
図１は、運動競技のスイングトレーニング器具の一実施形態のグリップ部１００の正面図を示す。図１に示すように、運動競技のスイングトレーニング器具の実施形態でグリップ１１０を提供する。グリップ１１０は近位端１１０ａと遠位端１１０ｂを有する。運動競技のスイングトレーニング器具の一実施形態では、グリップ１１０は典型的なゴルフクラブに見られるような標準的なゴルフクラブのグリップの形態をとり得る。代替的に、グリップ１１０は野球のバットのグリップの形態であってもよく、又は使用者がスイングする必要のある任意の運動競技器具におけるグリップの形態であってもよい。グリップ１１０はまた、軸方向穴１１１を備える。軸方向穴１１１は、グリップ１１０の全長、即ち近位端１１０ａから遠位端１１０ｂに及ぶ。このように、グリップ部材は貫通する中空の穴を有する。軸方向穴１１１内には連結部材１１２を配置する。連結部材１１２は、グリップ部１１０を弾性コードに連結するが、これについては以下でさらに詳述する。運動競技のスイングトレーニング器具の一実施形態では、連結部材１１２は可撓性ロープであり得る。代替的な実施形態では、連結部材１１２は鋼棒で形成し得る。連結部材１１２は軸方向穴１１１の全長に及ぶ。連結部材の一端１１２ｂはグリップの遠位端１１０ｂにおいて軸方向穴から突出し、連結部材の他端１１２ａは、グリップの近位端１１０ａにおいて軸方向穴から突出する。グリップの近位端１１０ａから突出する連結部材の端１１２ａには、パッド入りリストストラップ１１３を取り付ける。パッド入りリストストラップ１１３はループ１１４を形成し、使用者は運動競技のスイングトレーニング器具を使用する際にこのループ内に自分の手首を入れる。パッド入りリストストラップ１１３は、技術的に知られている任意の詰め物材料で作製でき、限定はしないが、例として発泡体、フリース、布等を挙げることができる。
【００１３】
図２は、運動競技のスイングトレーニング器具の一実施形態で使用する弾性コード２００の正面図を示す。弾性コード２００は、コード２１０で形成する。限定はしないが、一例としてコード２１０は天然ゴムの弾性コードであり得る。器具を用いてスイングを練習する際に使用者のかける力に対して適切な量の抵抗を提供するのに十分な弾性を有する任意の材料でコード２１０を作製できることは、当業者であれば理解できよう。さらに、弾性の異なる複数のコード２１０を含む複数の弾性コード２００を使用者に提供すれば、使用者がエクササイズで使用する抵抗の量を選択できるようにすることが可能であることは、当業者であれば理解できよう。コード２１０は中空でなくても中空であってもよい。運動競技のスイングトレーニング器具の一実施形態では、コード２１０、ひいては弾性コード２００は、約５フィートの長さであり得る。使用するコード２１０は任意の長さであってよく、また複数の弾性コード２００を使用者に提供して、使用者が運動競技のスイングトレーニング器具を使用したいと思う練習場の様々な構成に対応させることができることは、当業者であれば理解できよう。図２には、連結手段２２０及び２３０も示している。連結手段２２０及び２３０をコード２１０の端に取り付ける。連結手段２２０及び２３０は、技術的に知られている任意の手段でコード２１０に取り付けることができる。例えば連結手段２２０は、弾性コード２００をグリップ部の連結部材に連結するよう使用し得る。例えば連結手段２３０は、弾性コード２００を固定具に連結するよう使用し得る。端部の取付けを逆にして、連結手段２３０をグリップ部に、そして連結手段２２０を固定具に取り付けるようにしてもよい。図２に示すように、連結手段２２０及び２３０はフックのようなものでよい。代替的に連結手段を環状の形状とし、これにクリップ、フック、ストラップ等を通して器具を取り付けるようにしてもよい。別の実施形態では、連結手段２２０及び２３０をカラビナ等のように形成して、固定具及び連結部材と解放可能に係合するようにしてもよい。連結手段は２２０及び２３０は同じタイプのものであっても、上に挙げた異なるタイプのものであってもよい。
【００１４】
運動競技のスイングトレーニング器具を使用する方法について、図３を参照して説明する。図３は、一実施形態の運動競技のスイングトレーニング器具を使用する使用者の正面図を示す。図１及び図２で既に説明した要素については、同じ参照番号を使用する。図３に示すように弾性コード２００を提供する。連結手段（図示せず）を介して、弾性コード２００の第１端を固定具３００に取り付ける。図３に示すように、固定具３００は壁上にあっても、あるいは他の任意の不動の堅い面上にあってもよい。固定具３００は、弾性コード２００の連結手段（図示せず）と咬み合うよう構成したフック、もしくはその他の器具であってもよい。弾性コード２００の第２端は、グリップ部１００の連結部材（図示せず）に取り付ける。使用者３１０はパッド入りリストストラップ１１３の中に自分の手首を入れ、両手でグリップ部１００のグリップをつかむ。使用者３１０は、図３に示す軸Ａの方向にグリップ部１００をスイングし得る。軸Ａに沿ってグリップ部１００をスイングすると、弾性コード２００がグリップ部１００の前方への移動に抵抗し、これによってスイングに使用する筋肉が強化されると共に、軸Ａに平行な面においてグリップを保持するよう使用者をトレーニングする。これにより、使用者のスイングが向上する。一実施形態では、練習するスイングはゴルフのスイングであり得る。別の実施形態では、練習対象のスイングは、運動を行う際に用具をスイングする野球のスイングや、他の任意の運動競技のスイングであり得る。
【００１５】
これまで特定の実施形態及び例示に関して説明を行ってきたが、上記で開示したものは一概に限定を意図したものではなく、その他多くの実施形態、例示、使用、変更、及び本明細書で示した実施形態、例示、及び使用の範囲を逸脱するものについても、添付の特許請求の範囲に含むもと意図していることは、当業者であれば理解できよう。本発明の種々の特徴を以下の特許請求の範囲に示す。
【符号の説明】
【００１６】
１００  グリップ部
１１０  グリップ
１１０ａ  近位端
１１０ｂ  遠位端
１１１  軸方向穴
１１２  連結部材
１１３  リストストラップ
２００  弾性コード
２２０、２３０  連結手段
３００  固定具
【図１】
0005997436.tif 000002
【図２】
0005997436.tif 000003
【図３】
0005997436.tif 000004